(57)【特許請求の範囲】
【請求項１】
携帯端末機のイヤホンジャックに挿入される連結端子の一端部に形成されてタッチスクリーン方式である前記携帯端末機のディスプレイパネルを加圧して命令を入力する感圧チップ；
前記連結端子の一端部に装着されて前記連結端子と電気的に連結された前記イヤホンの電線を巻回して収納し、前記電線の巻回を解除して伸張させて使用するように内部空間が形成されたハウジング；及び
前記ハウジングに装着され、前記携帯端末機と電気的に連結され前記携帯端末機の着信時に発光する少なくとも一つ以上のＬＥＤ；を含むことを特徴とする携帯端末機のアクセサリー。
【請求項２】
携帯端末機に適用されるイヤホンの電線を巻回して収納し、前記電線の巻回を解除して伸張させて使用するように内部空間が形成されたハウジング；
前記ハウジングの一側に脱着可能に結合されて前記携帯端末機のイヤホンジャックに挿入されタッチスクリーン方式である前記携帯端末機のディスプレイパネルを加圧して命令を入力する感圧チップ；及び
前記ハウジングに装着され、前記携帯端末機と電気的に連結され前記携帯端末機の着信時に発光する少なくとも一つ以上のＬＥＤ；を含み、
前記イヤホンの使用は前記感圧チップが前記ハウジングから分離された状態で別途備えられたイヤホン連結端子が前記ハウジングに締結されることによって行われることを特徴とする携帯端末機のアクセサリー。
【請求項３】
前記ハウジングは、
前記イヤホンの電線が巻回される巻線用スプールが前記ハウジングの一側面から突出されることを特徴とする請求項１又は２に記載の携帯端末機のアクセサリー。
【請求項４】
前記ハウジングには、
前記イヤホンの電線が前記ハウジングに巻回されるとイヤホンヘッドを包んで前記ハウジングと一体をなすように前記ハウジングに脱着可能に結合されるカバー部材をさらに含むことを特徴とする請求項３に記載の携帯端末機のアクセサリー。
【請求項５】
前記感圧チップは、
前記イヤホン連結端子の端部形状に対応する溝を形成して前記イヤホン連結端子と脱着可能に連結されることを特徴とする請求項１に記載の携帯端末機のアクセサリー。
【請求項６】
前記感圧チップは、
前記ハウジングとねじ結合されることを特徴とする請求項２に記載の携帯端末機のアクセサリー。
【請求項７】
前記感圧チップは、
前記ハウジングと結合される部分の外面に沿って締結突起が突出され、前記ハウジングには前記感圧チップと結合される部分に対応する挿入溝が形成され、前記挿入溝の内周面に沿って前記締結突起に対応する形状の締結溝が形成されることを特徴とする請求項２に記載の携帯端末機のアクセサリー。
【発明の詳細な説明】
【技術分野】
【０００１】
本発明は、携帯端末機のアクセサリーに関し、さらに詳しくは携帯端末機のイヤホンジャックを通す異物の流入を防止し、タッチスクリーン操作のための感圧ペンと、イヤホンの電線の整理、着信お知らせ機能などを具現できる携帯端末機のアクセサリーに関する。
【背景技術】
【０００２】
携帯電話、特にスマートフォンのような携帯端末機は様々な機能が具現できるように小型の精密部品が集約された集合体であり、イヤホンジャックに挿入された連結端子を通して音楽及び各種音響を聴取し、タッチスクリーン方式のディスプレイパネルに接触するペンを用いて各種命令を入力するなどの同時作業を行うことができるという点から広く脚光を浴びている。
【０００３】
ここで、携帯端末機は上述のような様々な機能を行うために、例えば音楽鑑賞のためにはイヤホンを連結し、各種命令の入力のために使用するペンなどの周辺機器がそれぞれ別に存在するため、紛失のおそれがあった。
【０００４】
そして、このような最新の携帯端末機はイヤホンジャックが開放された状態では埃などの異物が流入するため、誤作動が起こるおそれがあった。
【０００５】
また、このような最新の携帯端末機は着信お知らせを音響又は振動で使用者に実施するため、このような音響又は振動による着信お知らせはバッテリの迅速な消耗につながり携帯端末機の様々な機能を長時間使用するには無理があった。
【先行技術文献】
【特許文献】
【０００６】
【特許文献１】韓国実用新案登録第３６４４５７号
【発明の概要】
【発明が解決しようとする課題】
【０００７】
本発明は、上記のような問題点を改善するために発明されたもので、その目的は、紛失のおそれを減らし収納の便宜を図ることができる携帯端末機のアクセサリーを提供することにある。
【０００８】
そして、本発明の他の目的は、埃などの異物の流入を遮断して清潔な状態を維持することはもちろんのこと、誤作動を防止できるようにする携帯端末機のアクセサリーを提供することにある。
【０００９】
また、本発明のさらに他の目的は、電力消耗が非常に少ない方法で着信お知らせを実施することによって様々な機能を長時間にわたって具現可能にして効率的なエネルギー管理を可能にする携帯端末機のアクセサリーを提供することにある。
【課題を解決するための手段】
【００１０】
前記のような目的を達成するために、本発明は携帯端末機のイヤホンジャックに挿入される連結端子の一端部に形成されてタッチスクリーン方式である携帯端末機のディスプレイパネルを加圧して命令を入力する感圧チップと、連結端子の一端部に装着されて連結端子と電気的に連結されたイヤホンの電線を巻回して収納し電線の巻回を解除して伸張させて使用するように内部空間が形成されたハウジングと、ハウジングに装着されて携帯端末機と電気的に連結され携帯端末機の着信時に発光する少なくとも一つ以上のＬＥＤを含むＬＥＤモジュールと、を含む構造の実施例を適用できる。
【００１１】
そして、本発明は携帯端末機に適用されるイヤホンの電線を巻回して収納し電線の巻回を解除して伸張させて使用するように内部空間が形成されたハウジングと、ハウジングの一側に脱着可能に結合されて携帯端末機のイヤホンジャックに挿入されタッチスクリーン方式である携帯端末機のディスプレイパネルを加圧して命令を入力する感圧チップと、ハウジングに装着され、携帯端末機と電気的に連結され携帯端末機の着信時に発光する少なくとも一つ以上のＬＥＤを含むＬＥＤモジュールと、を含み、イヤホンの使用は感圧チップがハウジングから分離された状態で別途備えられたイヤホン連結端子がハウジングに締結されることによって行われる構造の実施例を適用できることは言うまでもない。
【発明の効果】
【００１２】
上述のような構成の本発明によれば次のような効果を図ることができる。
【００１３】
まず、本発明は感圧ペンとイヤホンの巻線などがハウジングで一体をなす構造を採用してそれぞれの周辺機器が別途備えられる従来の製品に比べて紛失のおそれを減らし、収納の便宜を図ることができる。
【００１４】
そして、本発明は感圧ペンとして用いられる部分をイヤホン連結ジャックに対応する形状に製作してイヤホン未使用時にはハウジングに連結してイヤホン連結ジャックに挿入しておく用途で活用することによって埃など異物の流入を遮断して清潔な状態を維持することはもちろんのこと、誤作動を防止することもできる。
【００１５】
そして、本発明はイヤホン連結端子と電気的に連結され携帯端末機の着信お知らせ信号伝達回路と電気的に連結されたＬＥＤモジュールによって着信お知らせを実施することによって電力消耗を最小化して携帯端末機の様々な機能を長時間活用できる。
【００１６】
また、本発明はハウジングを人気キャラクターの形状などに製作して需要者の購買及びコレクション欲求を刺激できることはもちろんのこと、感圧ペンに使用する場合把持する部分を提供することができる。
【図面の簡単な説明】
【００１７】
【図１】本発明の一実施例による携帯端末機のアクセサリーを示す斜視図である。
【図２】本発明の一実施例による携帯端末機のアクセサリーを示す一部分解斜視図である。
【図３】本発明の他の実施例による携帯端末機のアクセサリーを示す一部分解斜視図である。
【図４】図３のＢ−Ｂ’の部分断面概念図である。
【発明を実施するための形態】
【００１８】
以下、添付された図面を参考で本発明の好ましい実施例について説明する。
【００１９】
図１は、本発明の一実施例による携帯端末機のアクセサリーを示す斜視図で、図２は、本発明の一実施例による携帯端末機のアクセサリーを示す一部分解斜視図である。
【００２０】
本発明は図示のようにハウジング２００の連結端子４１０一端部に感圧チップ１００が備えられ、ハウジング２００にはイヤホン４００の電線４２０が巻回又は巻回が解除され、着信お知らせのためのＬＥＤモジュール３００がハウジング２００に装着された構造であることがわかる。
【００２１】
感圧チップ１００は携帯端末機５００のイヤホンジャック５１０に挿入される連結端子４１０の一端部に形成されてタッチスクリーン方式である携帯端末機５００のディスプレイパネル５２０を加圧して命令を入力できるようにしたもので、圧力感応型タッチスクリーンに適用できる。
【００２２】
ハウジング２００は連結端子４１０の一端部に装着されて連結端子４１０と電気的に連結されたイヤホン４００の電線４２０を巻回して収納し、電線４２０の巻回を解除して伸張させて使用するように内部空間が形成されたもので、後述するＬＥＤ３００などの部材が装着される空間も提供する。
【００２３】
ハウジング２００は図示のように特定の形状のキャラクターや特定の形状の立体などに製作して使用者の購買及びコレクション欲求を刺激することもできる。
【００２４】
ハウジング２００は図示の形状に限定されず人気映画、ドラマ、漫画などの主人公又はキャラクターを形状化するか互いに異なる立体図形又は立体図形を互いに組み合わせるなどする多種小量生産方式の用途で製作して市場に出すことができることは言うまでもない。
【００２５】
ＬＥＤ３００はハウジング２００に少なくとも一つ以上装着され、連結端子４１０と電気的に連結されて発光しながら携帯端末機５００の着信を知らせる用途に活用できる。
【００２６】
また、ＬＥＤ３００は暗い場所で照明用途又は鍵穴などの特定部位を照らす用途などにも活用されることができ、図示のようにキャラクター形状のハウジング２００の特定の部位、例えばキャラクターの目や鼻等に該当する位置に装着させることによって独特の美感を生むことができる。
【００２７】
本発明は図示のような実施例を適用することができ、次のような様々な実施例を適用することもできることは言うまでもない。
【００２８】
ちなみに、図２に表記されていない図面の符号は図１を参照する。
【００２９】
感圧チップ１００は上述したように連結端子４１０の一端部に装着されて圧力感応方式で携帯端末機５００のディスプレイパネル５２０に命令を入力するもので、図２のように長時間の使用によって端部が摩耗すると入れ替えることができるようにイヤホン連結端子４１０の端部形状に対応する溝１１０を形成してイヤホン連結端子４１０と脱着可能に結合されるようにすることができることは言うまでもない。
【００３０】
ハウジング２００は上述したようにイヤホン４００の電線４２０を収納するための空間とＬＥＤ３００が装着される空間を提供するためのもので、図１のように電線４２０が自動的に巻回されるようにすることができることはもちろんのこと、図２のようにイヤホン４００の電線４２０が巻回される巻線用スプール２１０がハウジング２００の一側面から突出されるようにすることができる。
【００３１】
図１で電線４２０が自動的に巻回される構造は公知技術とほぼ同様であるので、詳細な構造及び作動メカニズムに関しては便宜上説明を省略する。
【００３２】
そして、ハウジング２００にはイヤホン４００の電線４２０がハウジング２００に巻回されるとイヤホンヘッド４３０を包んでハウジング２００と一体をなすようにハウジング２００に脱着可能に結合されるカバー部材２２０をさらに具備することが好ましい。
【００３３】
このためにハウジング２００の一側面の周縁にはカバー部材２２０の固定のために段部２０２を形成し、カバー部材２２０の一側縁には電線４２０が出入できるように収容溝２２２を形成してカバー部材２２０とハウジング２００の相互間の締結時に電線４２０の損傷を防止できる。
【００３４】
また、ハウジング２００には収納溝２０３が少なくとも一つ以上備えられて図示のように余分の感圧チップ１００を複数個収納するか、静電式のタッチスクリーンにも適用できるように別途備えられた静電チップ２０４を収納し、仕上げキャップ２０１で収納溝２０３を密閉する等の変形及び応用も可能であることは言うまでもない。
【００３５】
一方、本発明は前記のような実施例を適用することができ、図３のようにイヤホン４００の連結端子４１０に対応する形状に感圧チップ７００を製作して連結端子４１０と入れ替えて結合する構造の実施例も適用することができる。
【００３６】
図３で未説明の符号の６１０はハウジング６００から巻回を解除して使用したイヤホン４００の電線４２０をハウジング６００内に巻回して収納するための押しボタンを示す。
【００３７】
すなわち、感圧チップ７００はハウジング６００の一側に脱着可能に結合されて携帯端末機５００のイヤホンジャック５１０に挿入されタッチスクリーン方式である携帯端末機５００のディスプレイパネル５２０を加圧して命令を入力するようになる。
【００３８】
このためにハウジング６００は上述した実施例と同様にイヤホン４００の電線４２０を収納しＬＥＤ８００が装着される空間を提供し、一側に少なくとも一つ以上形成された収納溝６０３にはイヤホン４００の未使用時にハウジング６００から分離された連結端子４１０が収容されるかイヤホン４００の使用時にはハウジング６００から分離された感圧チップ７００が収容されることができる。
【００３９】
感圧チップ７００はイヤホン４００を使用しない時はイヤホンジャック５1０を通して埃などの異物が流入しないようにする役割も行うことができる。
【００４０】
したがって、使用者はイヤホン４００を使用しようとする時に感圧チップ７００をハウジング６００から分離して別途備えられたイヤホン連結端子４１０をハウジング６００に締結することによってイヤホンを使用することができる。
【００４１】
また、感圧チップ７００は図３のようにハウジング６００とねじ結合されるように端部にねじ山７１０が形成されるか、図４のように締り嵌めで締結させることもできる。
【００４２】
すなわち、感圧チップ７００はハウジング６００と結合される部分の外面に沿って締結突起７０２が突出され、ハウジング６００には感圧チップ７００と結合される部分に対応する挿入溝６０２が形成され、挿入溝６０２の内周面に沿って締結突起７０２に対応する形状の締結溝６１２が形成される構造を適用できることは言うまでもない。
【００４３】
以上のように本発明は紛失のおそれを減らし収納の便宜を図ることができ、埃など異物の流入を遮断して清潔な状態を維持することはもちろんのこと、誤作動を防止でき、電力消耗が非常に少ない方法で着信お知らせを実施することによって様々な機能を長時間にわたって具現可能にして効率的なエネルギー管理を可能にする携帯端末機のアクセサリーを提供することを基本的な技術的思想としていることが分かる。
【００４４】
そして、本発明の基本的な技術的思想の範疇内で当該業界の通常の知識を有する者にとっては他の多くの変形及び応用が可能であることは言うまでもない。
【符号の説明】
【００４５】
１００、７００：感圧チップ
２００、６００：ハウジング
３００、８００：ＬＥＤ
４００：イヤホン
５００：携帯端末機
【図１】
0005180351.tif 000002
【図２】
0005180351.tif 000003
【図３】
0005180351.tif 000004
【図４】
0005180351.tif 000005